(57)【要約】  エレベータの操作盤は、開口部を有する筐体と、ブザー音等といった音を筐体内から出力する音響装置（５）と、音響装置（５）から出力された音を通過させる複数の音抜き孔（３１）が形成され、裏面を筐体に向けて開口部を塞いでいるフェースプレート（３）と、フェースプレート（３）に設けられ、エレベータが特定の動作を行うための操作ボタン（４）と、を備えている。複数の音抜き孔（３１）は、フェースプレートの表面側から触ったとき、操作ボタンの種類が特定可能となるように配置されている。
2017002236.tif 000002
【特許請求の範囲】
【請求項１】
開口部を有する筐体と、  音を前記筐体内から出力する音響装置と、  前記音響装置から出力された音を通過させる複数の音抜き孔が形成され、裏面を前記筐体に向けて前記開口部を塞いでいるフェースプレートと、  前記フェースプレートに設けられ、エレベータが特定の動作を行うための操作ボタンと、  を備え、  前記複数の音抜き孔は、前記フェースプレートの表面側から触ったとき、前記操作ボタンの種類が特定可能となるように配置されている  エレベータの操作盤。
【請求項２】
前記複数の音抜き孔は、前記フェースプレートの表面側から見たときにも、前記操作ボタンの種類が特定可能となるように配置されている  請求項１に記載のエレベータの操作盤。
【請求項３】
前記複数の音抜き孔を通過する光を前記筐体内から出力する発光装置をさらに備えた  請求項２に記載のエレベータの操作盤。
【請求項４】
前記フェースプレートの表面側から見たとき、前記操作ボタンの種類が特定可能となる形状であって、かつ着色された図形部が前記フェースプレートの表面に設けられ、  前記複数の音抜き孔は、前記図形部上に配置されている  請求項１から３のいずれか１項に記載のエレベータの操作盤。
【請求項５】
前記複数の音抜き孔のそれぞれに、前記フェースプレートの表面から突出させた状態で設けられている光透過部材をさらに備えた  請求項１から４のいずれか１項に記載のエレベータの操作盤。
【発明の詳細な説明】
【技術分野】
【０００１】  本発明は、例えば乗場およびかご内などに設けられるエレベータの操作盤に関するものである。
【背景技術】
【０００２】  従来のエレベータの操作盤において、操作盤内に設けられたブザーの音を外側に聞こえやすくするために、ブザーの音を通過させる複数の音抜き孔をフェースプレートに形成している（例えば、特許文献１参照）。
【先行技術文献】
【特許文献】
【０００３】
【特許文献１】特開平７−２４２３７５号公報
【発明の概要】
【発明が解決しようとする課題】
【０００４】  従来のエレベータの操作盤では、健常者だけでなく視覚障がい者も使用可能なように構成する場合がある。この場合、複数の音抜き孔をフェースプレートに形成するだけでなく、視覚障がい者が触ることで操作ボタンの種類の特定が可能になる点字形状の突起などをフェースプレートの表面に別途設ける必要がある。【０００５】  本発明は、上記のような課題を解決するためになされたものであり、複数の音抜き孔が形成されたフェースプレートの表面に点字形状の突起などを別途設けなくても、視覚障がい者が使用可能なエレベータの操作盤を得ることを目的とする。
【課題を解決するための手段】
【０００６】  本発明におけるエレベータの操作盤は、開口部を有する筐体と、音を筐体内から出力する音響装置と、音響装置から出力された音を通過させる複数の音抜き孔が形成され、裏面を筐体に向けて開口部を塞いでいるフェースプレートと、フェースプレートに設けられ、エレベータが特定の動作を行うための操作ボタンと、を備え、複数の音抜き孔は、フェースプレートの表面側から触ったとき、操作ボタンの種類が特定可能となるように配置されているものである。
【発明の効果】
【０００７】  本発明のエレベータの操作盤によれば、フェースプレートに形成された複数の音抜き孔は、フェースプレートの表面側から触ったとき、操作ボタンの種類が特定可能となるように配置されている。これにより、複数の音抜き孔が形成されたフェースプレートの表面に点字形状の突起などを別途設けなくても、視覚障がい者が使用可能なエレベータの操作盤を得ることができる。
【図面の簡単な説明】
【０００８】
【図１】本発明の実施の形態１におけるエレベータの乗場操作盤を示す正面図である。
【図２】図１のＡ−Ａ線に沿った断面図である。
【図３】本発明の実施の形態２におけるエレベータの乗場操作盤を示す正面図である。
【図４】本発明の実施の形態３におけるエレベータの乗場操作盤を示す断面図である。
【発明を実施するための形態】
【０００９】  以下、本発明によるエレベータの操作盤を、好適な実施の形態にしたがって図面を用いて説明する。なお、図面の説明においては、同一部分または相当部分には同一符号を付し、重複する説明を省略する。
【００１０】  実施の形態１．  図１は、本発明の実施の形態１におけるエレベータの乗場操作盤１を示す正面図である。図２は、図１のＡ−Ａ線に沿った断面図である。エレベータの乗場の正面壁には、乗場操作盤１が設けられている。
【００１１】  乗場操作盤１は、開口部２１を有する筐体２と、開口部２１を塞いでいるフェースプレート３と、フェースプレート３に設けられている操作ボタン４と、筐体２内に存在する音響装置５と、筐体２内に存在する発光装置６とを備えている。
【００１２】  筐体２は、乗場操作盤１に用いられる複数の電気部品を収納するためのものであり、矩形状に形成された開口部２１が設けられている。
【００１３】  フェースプレート３は、フェースプレート３の表面および裏面のうち、裏面を筐体２に向けて開口部２１を塞いでいる。また、フェースプレート３は、筐体２に対して着脱可能になっている。
【００１４】  操作ボタン４は、エレベータの乗客によって操作された後、エレベータが特定の動作を行うためのものであり、例えば上階に移動するかごを呼ぶための呼びボタンおよび下階に移動するかごを呼ぶための呼びボタンなど、さまざまな種類のものがある。また、操作ボタン４は、エレベータを制御する制御装置（図示せず）に電気的に接続されている。乗客が操作ボタン４を押すことで、制御装置は、操作ボタン４に対応した特定の動作が行われるようにエレベータを制御する。
【００１５】  具体的には、操作ボタン４は、乗客の行先階が上階の場合に操作される第１の呼びボタン４ａと、乗客の行先階が下階の場合に操作される第２の呼びボタン４ｂとで構成されている。乗客が第１の呼びボタン４ａを押すことで、エレベータによる特定の動作として、上階に移動するかごを乗場に着床させる動作が行われる。また、乗客が第２の呼びボタン４ｂを押すことで、エレベータによる特定の動作として、下階に移動するかごを乗場に着床させる動作が行われる。
【００１６】  音響装置５は、筐体２内に存在する。具体的には、図２に示すように、音響装置５とフェースプレート３との間の間隔をあけて音響装置５をフェースプレート３の裏面に対向させて支持する支持部７をフェースプレート３の裏面に設ける。このように構成することで、フェースプレート３によって開口部２１が塞がれたときに、音響装置５が筐体２内に存在する。また、音響装置５は、例えば、ブザー装置を用いて構成され、操作ボタン４が操作されたときの応答として、ブザー音を筐体２内から出力する。なお、音響装置５は、アナウンス音などの別の音を出力してもよい。
【００１７】  フェースプレート３には、音響装置５から出力された音を通過させる複数の音抜き孔３１が形成される。複数の音抜き孔３１のそれぞれは、フェースプレート３を貫通している。フェースプレート３に複数の音抜き孔３１を形成することで、開口部２１がフェースプレート３に塞がれていても、筐体２内の音響装置５の音が筐体２の外側に聞こえやすくなる。
【００１８】  このように構成することで、乗客が操作ボタン４を押すことによって呼びが登録された際には、音響装置５から出力された音が複数の音抜き孔３１を通過して乗客に聞こえる。したがって、乗客は、その音を聞くことで呼びが登録されたことが分かる。
【００１９】  複数の音抜き孔３１は、視覚障がい者がフェースプレート３の表面側から触ったとき、操作ボタン４の種類が特定可能となるように配置されている。したがって、視覚障がい者は、複数の音抜き孔３１を触ることで、操作ボタン４の種類を特定し、その操作ボタン４を操作することで行われるエレベータの動作内容を認識することができる。なお、複数の音抜き孔３１の各孔の直径は、手で触れたときに各孔を確認可能なサイズにしておけばよい。
【００２０】  ここで、例えば、上記のように操作ボタン４が構成される場合、第１の呼びボタン４ａに対応する第１の音抜き孔３１ａと、第２の呼びボタン４ｂに対応する第２の音抜き孔３１ｂとが、複数の音抜き孔３１として配置される。
【００２１】  第１の音抜き孔３１ａは、視覚障がい者がフェースプレート３の表面側から触ったとき、第１の呼びボタン４ａの種類を特定可能なように配置されている。したがって、視覚障がい者は、第１の音抜き孔３１ａを触れば、第１の呼びボタン４ａがどのような種類の操作ボタンであるかを認識することができる。
【００２２】  同様に、第２の音抜き孔３１ｂは、視覚障がい者がフェースプレート３の表面側から触ったとき、第２の呼びボタン４ｂの種類を特定可能なように配置されている。したがって、視覚障がい者は、第２の音抜き孔３１ｂを触れば、第２の呼びボタン４ｂがどのような種類の操作ボタンであるかを認識することができる。
【００２３】  第１の音抜き孔３１ａは、第１の呼びボタン４ａの隣に位置する。第１の音抜き孔３１ａの各孔は、全体で上向きの矢印を示すように、１つずつ間隔をあけて並べられている。視覚障がい者は、第１の音抜き孔３１ａを触ることで、第１の音抜き孔３１ａの形態が上向きの矢印を示していると認識する。そのため、視覚障がい者は、第１の呼びボタン４ａの種類が上階に移動するかごを乗場に呼び寄せるための操作ボタンであることを認識することができる。
【００２４】  第２の音抜き孔３１ｂは、第２の呼びボタン４ｂの隣に位置する。第２の音抜き孔３１ｂの各孔は、全体で下向きの矢印を示すように、１つずつ間隔をあけて並べられている。視覚障がい者は、第２の音抜き孔３１ｂを触ることで、第２の音抜き孔３１ｂの形態が下向きの矢印を示していると認識する。そのため、視覚障がい者は、第２の呼びボタン４ｂの種類が下階に移動するかごを乗場に呼び寄せるための操作ボタンであることを認識することができる。
【００２５】  また、視覚障がい者がフェースプレート３の表面側から触ったときだけでなく、健常者がフェースプレート３の表面側から見たとき、操作ボタン４の種類が特定可能となるように、複数の音抜き孔３１を配置してもよい。
【００２６】  例えば、上記のように複数の音抜き孔３１を構成した場合、健常者は、第１の音抜き孔３１ａおよび第２の音抜き孔３１ｂを見ることで、第１の音抜き孔３１ａの形態が上向きの矢印を示し、第２の音抜き孔３１ｂの形態が下向きの矢印を示していると認識する。そのため、健常者は、第１の呼びボタン４ａが上階に移動するかごを乗場に呼び寄せるための操作ボタンであり、第２の呼びボタン４ｂが下階に移動するかごを乗場に呼び寄せるための操作ボタンであることを認識することができる。
【００２７】  このように、フェースプレート３に形成される複数の音抜き孔３１の各孔の配置を工夫することで、乗客は、目視によっても、指で触ることによっても、操作ボタン４の種類を特定することができる。
【００２８】  発光装置６は、筐体２内に存在する。具体的には、図２に示すように、発光装置６とフェースプレート３との間の間隔をあけて発光装置６をフェースプレート３の裏面に対向させて支持する支持部７をフェースプレート３の裏面に設ける。このように構成することで、フェースプレート３によって開口部２１が塞がれたときに、発光装置６が筐体２内に存在する。また、発光装置６は、例えばＬＥＤを用いて構成され、操作ボタン４が操作されたときの応答として、複数の音抜き孔３１を通過する光を筐体２内から出力する。
【００２９】  ここで、例えば、上記のように複数の音抜き孔３１を構成した場合、第１の音抜き孔３１ａに対向する第１の発光装置６ａと、第２の音抜き孔３１ｂに対向する第２の発光装置６ｂとが、発光装置６として設けられる。
【００３０】  第１の発光装置６ａは、第１の呼びボタン４ａが操作されたときの応答として、第１の音抜き孔３１ａを通過する光を出力する。第２の発光装置６ｂは、第２の呼びボタン４ｂが操作されたときの応答として、第２の音抜き孔３１ｂを通過する光を出力する。
【００３１】  このように構成することで、乗客が操作ボタン４を押すことによって呼びが登録された際には、発光装置６から出力された光がその操作ボタン４に対応した複数の音抜き孔３１を通過して乗客に見える。したがって、乗客は、その光を見ることで呼びが登録されたことが分かる。
【００３２】  以上、本実施の形態１の乗場操作盤によれば、フェースプレートに形成された複数の音抜き孔は、フェースプレートの表面側から触ったとき、操作ボタンの種類が特定可能となるように配置されている。
【００３３】  これにより、複数の音抜き孔が形成されたフェースプレートの表面に点字形状の突起などを別途設けなくても、視覚障がい者が乗場操作盤を使用することができる。
【００３４】  フェースプレートの表面には複数の音抜き孔が形成されているので、音響装置の音量を上げることなく、音響装置の音を乗客に聞こえやすくすることができる。また、音響装置の音量を抑えることができるので、その結果、音響装置の消費電力を下げることができる。さらに、音響装置のサイズダウンが可能となるのに伴い、乗場操作盤のサイズダウンが可能となる。また、音響装置の音が聞こえやすくなることによって、健常者だけでなく視覚障がい者にもボタンの応答がわかりやすくなる。
【００３５】  また、複数の音抜き孔は、フェースプレートの表面側から触ったときだけでなく、フェースプレートの表面側から見たときにも、操作ボタンの種類が特定可能となるように配置されている。
【００３６】  これにより、操作ボタンの種類に関して、視覚障がい者は触覚によってその種類を特定することができ、健常者は視覚によってその種類を特定することができる。また、操作ボタンの種類を示す、健常者用の表示文字および視覚障がい者用の点字を、フェースプレートに形成されている複数の音抜き孔で代用しているので、操作ボタンの構造を簡素化することができる。
【００３７】  さらに、複数の音抜き孔を通過する光を筐体内から出力する発光装置をさらに備えて乗場操作盤を構成している。
【００３８】  これにより、操作ボタンに対応した複数の音抜き孔からの光を見ることによって、健常者がボタンの応答がよりわかりやすくなる。また、操作ボタンが操作されたときの応答として操作ボタンに光を透過させるために操作ボタンの構造を加工する必要がなくなり、操作ボタンを不透明な素材で形成することができる。その結果、操作ボタンの構造をさらに簡素化することができる。
【００３９】  実施の形態２．  本発明の実施の形態２では、先の実施の形態１の構成に対して、フェースプレート３の表面に設けられた図形部３２をさらに備えた乗場操作盤１について説明する。図３は、本発明の実施の形態２におけるエレベータの乗場操作盤１を示す正面図である。なお、本実施の形態２では、先の実施の形態１と同様である点の説明を省略し、先の実施の形態１と異なる点を中心に説明する。
【００４０】  フェースプレート３の表面には、乗客がフェースプレート３の表面側から見たとき、操作ボタンの種類が特定可能となる形状であって、かつ着色された図形部３２が設けられている。また、複数の音抜き孔３１は、図形部３２上に配置されている。さらに、図形部３２上に配置されている複数の音抜き孔３１は、視覚障がい者がフェースプレート３の表面側から触ったときに、操作ボタン４の種類が特定可能となるように配置されている。
【００４１】  ここで、例えば、図３に示すように操作ボタン４を構成する場合、第１の呼びボタン４ａに対応する第１の図形部３２ａと、第２の呼びボタン４ｂに対応する第２の図形部３２ｂとが、図形部３２としてフェースプレート３の表面に設けられる。
【００４２】  第１の図形部３２ａの形状は、上向きの矢印となっており、第２の図形部３２ｂの形状は、下向きの矢印となっている。したがって、乗客は、第１の図形部３２ａを見たときには、第１の呼びボタン４ａの種類が上階に移動するかごを乗場に呼び寄せるための操作ボタンであることを認識する。また、乗客は、第２の図形部３２ｂを見たときには、第２の呼びボタン４ｂの種類が下階に移動するかごを乗場に呼び寄せるための操作ボタンであることを認識する。
【００４３】  また、第１の図形部３２ａおよび第２の図形部３２ｂのそれぞれは、着色されている。したがって、乗客が第１の音抜き孔３１ａおよび第２の音抜き孔３１ｂを視認することが困難な弱視の者であっても、第１の呼びボタン４ａおよび第２の呼びボタン４ｂのそれぞれの種類を特定することができる。
【００４４】  第１の音抜き孔３１ａの各孔は、全体で上向きの矢印を示すように、１つずつ間隔をあけて、第１の図形部３２ａ上に並べられている。また、第２の音抜き孔３１ｂの各孔は、全体で下向きの矢印を示すように、１つずつ間隔をあけて、第２の図形部３２ｂ上に並べられている。
【００４５】  以上、本実施の形態２の乗場操作盤によれば、先の実施の形態１における複数の音抜き孔は、操作ボタンの種類が特定可能となる形状であって、かつ着色された図形部上に配置されている。
【００４６】  これにより、先の実施の形態１の構成と比べて、音抜き孔の配列の視認性がより向上する。また、エレベータを利用する乗客が音抜き孔を視認することが困難な弱視の者であっても、着色された図形部を目視することで、操作ボタンの種類を特定することができる。
【００４７】  実施の形態３．  本発明の実施の形態３では、先の実施の形態１の構成に対して、複数の音抜き孔３１のそれぞれに設けられた光透過部材３３をさらに備えた乗場操作盤１について説明する。図４は、本発明の実施の形態３におけるエレベータの乗場操作盤１を示す断面図である。なお、図４は、先の図２の構成に対して、光透過部材３３をさらに備えた構成を示す断面図に相当する。また、本実施の形態３では、先の実施の形態１と同様である点の説明を省略し、先の実施の形態１と異なる点を中心に説明する。
【００４８】  フェースプレート３に形成されている複数の音抜き孔３１のそれぞれには、フェースプレート３の表面から突出させた状態で、発光装置６からの光を透過する光透過部材３３が設けられている。光透過部材３３は、例えば、合成樹脂またはガラスなどの光透過性素材を用いて構成される。
【００４９】  ここで、例えば、先の図２の構成に対して、複数の音抜き孔３１のそれぞれに光透過部材３３を設ける場合、図４に示すように、第１の音抜き孔３１ａの各孔に光透過部材３３が設けられ、第２の音抜き孔３１ｂの各孔に光透過部材３３がさらに設けられる。
【００５０】  複数の音抜き孔３１のそれぞれに光透過部材３３を設けることで、光透過部材３３自体がフェースプレート３の表面から突出している突起として機能する。したがって、視覚障がい者は、光透過部材３３を触ることで、従来の乗場操作盤に設けられている点字形状の突起を触るのと同様の感覚となる。
【００５１】  このように構成することで、乗客は、目視によっても、指で触ることによっても、複数の音抜き孔３１のそれぞれに設けられた光透過部材３３の配列を認識することができるので、先の実施の形態１と同様に、操作ボタン４の種類を特定することができる。
【００５２】  また、乗客が操作ボタン４を押すことによって呼びが登録された際には、発光装置６から出力された光がその操作ボタン４に対応した、複数の音抜き孔３１および光透過部材３３を通過して乗客に見える。したがって、乗客は、その光を見ることで呼びが登録されたことが分かる。
【００５３】  なお、光透過部材３３自体がフェースプレート３の表面から突出する高さは、例えば、従来の乗場操作盤に設けられている点字形状の突起の高さと同程度となるように調整すればよい。
【００５４】  以上、本実施の形態３の乗場操作盤によれば、先の実施の形態１における複数の音抜き孔のそれぞれに、フェースプレートの表面から突出させた状態で設けられている光透過部材が設けられている。
【００５５】  これにより、視覚障がい者は、音抜き孔自体ではなく、音抜き孔に設けられた光透過部材を触るので、先の実施の形態１と比べて、操作ボタンの種類をより特定しやすくなる。また、視覚障がい者は、従来の乗場操作盤に設けられている点字形状の突起を触るのと同様の感覚で、操作ボタンの種類を特定することができる。
【００５６】  なお、本実施の形態１〜３では、操作ボタン４に対応する複数の音抜き孔３１を設ける位置として、操作ボタン４の隣に設ける場合を例示しているが、これに限定されず、操作ボタン４に対して、フェースプレート３のどの位置に設けてもよい。
【００５７】  また、本実施の形態１〜３では、操作ボタン４がかごを呼ぶため呼びボタンの機能を有し、さらに、かごの移動方向を表す矢印を示すように複数の音抜き孔３１を配置する場合を例示している。しかしながら、これに限定されず、操作ボタン４が行先階を指定する階床ボタンとしての機能を有していてもよく、さらに、操作ボタン４の種類が特定可能であれば、数字、文字、点字または記号等を示すように複数の音抜き孔３１を配置してもよい。
【００５８】  また、本実施の形態１〜３について個別に説明してきたが、本実施の形態１〜３のそれぞれで開示した構成例は、任意に組み合わせることが可能である。
【００５９】  また、本実施の形態１〜３では、エレベータの乗場に設けられた乗場操作盤１に本願発明を適用する場合を例示しているが、エレベータのかごに設けられたかご操作盤に本願発明を適用してもよい。
【図１】
2017002236.tif 000003
【図２】
2017002236.tif 000004
【図３】
2017002236.tif 000005
【図４】
2017002236.tif 000006
【国際調査報告】
2017002236.tif 000007
2017002236.tif 000008
2017002236.tif 000009
2017002236.tif 000010